(57)【要約】【課題】ノイズフィルターコイルの小型化の実現と電源回路の耐ノイズ性、信頼性の向上を図ること。【解決手段】ノイズフィルターコイル１にＡＣ１００Ｖ電源２から電力が供給されている。また、該ノイズフィルターコイル１の１次側には、電流容量の小さい低周波負荷のポンプやモータ３等が接続され、２次側には、電流容量の大きい高周波負荷の点火器５等が接続されている。これによって、ノイズフィルターコイルの小型化が実現すると共に電源回路の耐ノイズ性、信頼性が向上する。【選択図】  図１
2004153521.tif 000002
【特許請求の範囲】
【請求項１】
ノイズフィルターコイルと、前記ノイズフィルターコイルの１次側に接続された低周波負荷と、前記低周波負荷をオン・オフさせる第１のスイッチング素子と、前記ノイズフィルターコイルの２次側に接続された高周波負荷と、前記高周波負荷をオン・オフさせる第２のスイッチング素子とを備えた電源ラインのノイズフィルター回路。
【請求項２】
低周波負荷を電流容量が小さい負荷とし、高周波負荷を電流容量の大きい負荷とした請求項１記載の電源ラインのノイズフィルター回路。
【請求項３】
高周波負荷を高周波ノイズの大きい負荷とした請求項１記載の電源ラインのノイズフィルター回路。
【請求項４】
低周波負荷をモータ負荷、電磁弁負荷又は比例弁負荷とし、高周波負荷を点火器負荷又はスイッチングトランス負荷とした請求項１記載の電源ラインのノイズフィルター回路。
【発明の詳細な説明】
【０００１】
【発明の属する技術分野】
本発明は電源ラインのノイズフィルター回路に関し、更に詳しくは、ノイズフィルターコイルの小型化の実現と、電源回路の耐ノイズ性の向上を図った電源ラインのノイズフィルター回路に関するものである。
【０００２】
【従来の技術】
この種の電源ラインのノイズフィルター回路を図２に示す。図において、ノイズフィルターコイル１の１次側にはＡＣ１００Ｖ電源２が設けられ、また２次側には低周波負荷のポンプモータ３と、高周波負荷の点火器５等のすべての負荷が接続されている。そのためノイズフィルターコイル１は低周波及び高周波の双方を考慮し選択する。ポンプモータ３は第１のスイッチング素子４でオン・オフされ、点火器５は第２のスイッチング素子６でオン・オフされる。
【０００３】
【発明が解決しようとする課題】
しかしながら、上記従来の電源ラインのノイズフィルター回路では、すべての負荷がノイズフィルターコイルの２次側に接続されているため、耐電流を考慮するとノイズフィルターコイルの寸法は大きくなり、その結果コストアップとなったり、ノイズフィルターコイルを基板に搭載する際はスペース的な制限が発生したりする。
【０００４】
また、すべての負荷がノイズフィルターコイルの２次側に接続されているため、高周波負荷及び低周波負荷対応のノイズフィルターコイルが必要となる。しかしながら、ノイズフィルターコイルの特性上、いずれかの周波数領域しか対応出来ず、この領域のノイズ対応が弱くなる可能性があった。
【０００５】
本発明は、このような電源ラインのノイズフィルター回路において、ノイズフィルターコイルの小型化の実現と、電源回路の耐ノイズ性の向上を図ることを目的とする。
【０００６】
【課題を解決するための手段】
本発明は、電源ラインのノイズフィルターコイルと、ノイズフィルターコイルの１次側に接続された低周波負荷と、低周波負荷をオン・オフさせる第１のスイッチング素子と、ノイズフィルターコイルの２次側に接続された高周波負荷と、高周波負荷をオン・オフさせる第２のスイッチング素子とを備えたものである。
【０００７】
本発明によればノイズフィルターコイルの小型化の実現と、電源回路の耐ノイズ性の向上を図ることができる。
【０００８】
【発明の実施の形態】
本発明の請求項１に記載の発明は、電源ラインのノイズフィルターコイルと、ノイズフィルターコイルの１次側に接続された低周波負荷と、低周波負荷をオン・オフさせる第１のスイッチング素子と、ノイズフィルターコイルの２次側に接続された高周波負荷と、高周波負荷をオン・オフさせる第２のスイッチング素子とを備えたことにより、シンプルな電源ラインの構成が出来るという作用を有する。
【０００９】
請求項２に記載の発明は、請求項１の電源ラインのノイズフィルター回路において、ノイズフィルターコイルの１次側に電流容量が小さい負荷を接続し、ノイズフィルターコイルの２次側に電流容量の大きい負荷を接続することにより、ノイズフィルターコイルの寸法は小型化されコスト安となり、基板に搭載する際もスペース的な制限が緩和されるという作用を有する。
【００１０】
請求項３に記載の発明は、請求項１の電源ラインのノイズフィルター回路において、高周波ノイズの大きい負荷をノイズフィルターコイルの２次側に接続することにより、ノイズフィルターコイルの仕様は高周波領域対応のノイズフィルターコイルに限定することが可能となり、電源ラインの耐ノイズ性がを向上するという作用を有する。
【００１１】
請求項４に記載の発明は、請求項１の電源ラインのノイズフィルター回路において、ノイズフィルターコイルの１次側に、モータ負荷、電磁弁負荷、比例弁負荷を接続し、ノイズフィルターコイルの２次側に点火器負荷、スイッチングトランス負荷を接続することにより、ノイズフィルターコイルの１次側の低周波負荷と、ノイズフィルターコイルの２次側の高周波負荷とを区別したことにより、ノイズに対する対応が容易となり、電源ラインの信頼性が向上するという作用を有する。
【００１２】
【発明の実施の形態】
以下、本発明の実施例について、図１を用いて説明する。
【００１３】
（実施例１）
図１に本発明のガス給湯機の電源ラインのノイズフィルター回路を示す。図において、商用電源であるＡＣ１００Ｖ電源２から電源が供給され、ノイズフィルターコイル１を介して負荷側に電源が供給されている。また、ノイズフィルターコイル１の１次側に低周波負荷である風呂ポンプ３が接続され、その風呂ポンプ３をオン・オフさせる第１のスイッチング素子４が設けられている。低周波負荷としては、風呂ポンプ３のようなモータ負荷、電磁弁負荷、比例弁負荷等がある。また、ノイズフィルターコイル１の２次側に高周波負荷である点火器５が接続され、その点火器５をオン・オフさせる第２のスイッチング素子６が設けられている。高周波負荷には点火器負荷、スイッチングトランス負荷等がある。
【００１４】
本実施例においては、ノイズフィルターコイル１の２次側に高周波ノイズを発生させる点火器５を接続することにより、ノイズフィルターコイル１は高周波領域対応のもので問題はない。また比較的電流の大きく、ノイズの発生が低い低周波負荷の風呂ポンプ３を、ノイズフィルターコイル１の１次側に接続することにより、ノイズフィルターコイル１の電流容量は抑えられ、ノイズフィルターコイル１の小型化が実現する。また低周波ノイズのノイズフィルターコイル１の２次側への影響は実質的には無い。また、点火器５は第２のスイッチング素子６でオン・オフし、ポンプモータ３は第１のスイッチング素子４でオン・オフされる。
【００１５】
【発明の効果】
以上の説明から明らかのように、本発明の電源ラインのフィルター回路によれば、ノイズフィルターコイルの寸法の小型化が実現しその結果コストダウンになるとともに、基板に搭載する際もスペース的な制限が緩和されるという効果が得られる。また、シンプルな電源ラインを構成することが可能で、且つノイズに対する対応が容易になるとともに、電源ラインの耐ノイズ性を向上し、信頼性が一層向上するという効果がある。
【図面の簡単な説明】
【図１】本発明の実施例１における電源ラインのノイズフィルター回路を示す回路図
【図２】従来の電源ラインのノイズフィルター回路を示す回路図
【符号の説明】
１  ノイズフィルターコイル
２  ＡＣ１００Ｖ電源
３  風呂ポンプ（低周波負荷）
４  第１のスイッチング素子
５  点火器（高周波負荷）
６  第２のスイッチング素子
【図１】
2004153521.tif 000003
【図２】
2004153521.tif 000004